(57)【要約】      （修正有）【課題】互いに交叉する方向に延びる従来の組立足場は、その接続コーナー部が構造上強度が弱い欠点があり、手摺などない状態で２段目の組立足場を作成する必要があるので安全性を確保すること。【解決手段】組立足場は、一方向に延びる一方の組立足場素子と、これに交叉する方向に延びる他方の組立足場素子と、互いに連結せしめるコーナー部８とより成り、各組立足場素子は互いに離間して並設した複数の垂直枠と、各垂直枠に設けた水平補強杆１１と、互いに隣接した垂直枠間を連結する足場用板と、互いに隣接した垂直枠の垂直支柱間を連結するブレスとより成り、コーナー部は一方の組立足場素子６，７の一端において互いに隣接する垂直枠と、この各垂直枠の水平補強杆の、他方の組立足場素子に面する側の端部間を連結するコーナー部用水平杆と、このコーナー部用水平杆とコーナー部に面する他方の組立足場素子の水平補強杆間を連結せしめ足場用板とより成る。【選択図】図１
2007309044.tif 000002
【特許請求の範囲】
【請求項１】
一方向に延びる一方の組立足場素子と、これに交叉する方向に延びる他方の組立足場素子と、これらを互いに連結せしめるコーナー部とより成り、
上記各組立足場素子は互いに離間して並設した複数の垂直枠と、各垂直枠に設けた水平補強杆と、互いに隣接した上記垂直枠間を連結する足場用板と、上記互いに隣接した垂直枠の垂直支柱間を連結するブレスとより成り、上記コーナー部は上記一方の組立足場素子の一端において互いに隣接する垂直枠と、この各垂直枠の水平補強杆の、上記他方の組立足場素子に面する側の端部間を連結するコーナー部用水平杆と、このコーナー部用水平杆と上記コーナー部に面する上記他方の組立足場素子の水平補強杆間を連結せしめ足場用板とより成ることを特徴とする組立足場。
【請求項２】
上記コーナー部を構成する上記垂直枠の、上記他方の組立足場素子に面する側の垂直支柱に、ブレス固定用ピンを有する補助金具を設けたことを特徴とする請求項１記載の組立足場。
【発明の詳細な説明】
【技術分野】
【０００１】
本発明は組立足場、特に、直角方向に交差する組立足場に関するものである。
【背景技術】
【０００２】
図２０は直線状に長く連結された従来の組立足場を示し、上記組立足場は、２個の垂直支柱１とこの各垂直支柱１を連結する水平杆２とより成る、互いに横方向に離間して並列した複数の鳥居形枠３と、上記各隣接する鳥居形枠３の水平杆２間に接続せしめた足場板となる布板４と、上記各隣接する鳥居形枠３の互いに対向する垂直支柱１間に接続せしめた筋交い（Ｘ状ブレス）５とより成る（特許文献１）。
【０００３】
【特許文献１】特開平９−１３６５６号公報（図２）
【発明の開示】
【発明が解決しようとする課題】
【０００４】
然しながら、上記のような構成の組立足場は直線状に長く連結したものは製造容易であるが、これを図２１に示すように一方向に延びる一方の組立足場素子６と、これに直交する方向に延びる他方の組立足場素子７と、これらを互いに連結せしめるコーナー部８とにより構成する場合には、２つの方向の異なる組立足場素子６，７をコーナー部８で単にクランプで接続している。
【０００５】
従ってこのコーナー部は構造上強度が弱く、屋根等が形成された大重量の仮設建築物には使用できない欠点があった。
【０００６】
本発明は上記の欠点を除くようにしたものである。
【課題を解決するための手段】
【０００７】
本発明の組立足場は、一方向に延びる一方の組立足場素子と、これに交叉する方向に延びる他方の組立足場素子と、これらを互いに連結せしめるコーナー部とより成り、上記各組立足場素子は互いに離間して並設した複数の垂直枠と、各垂直枠に設けた水平補強杆と、互いに隣接した上記垂直枠間を連結する足場用板と、上記互いに隣接した垂直枠の垂直支柱間を連結するブレスとより成り、上記コーナー部は上記一方の組立足場素子の一端において互いに隣接する垂直枠と、この各垂直枠の水平補強杆の、上記他方の組立足場素子に面する側の端部間を連結するコーナー部用水平杆と、このコーナー部用水平杆と上記コーナー部に面する上記他方の組立足場素子の水平補強杆間を連結せしめ足場用板とより成ることを特徴とする。
【０００８】
上記コーナー部を構成する上記垂直枠の、上記他方の組立足場素子に面する側の垂直支柱に、ブレス固定用ピンを有する補助金具を設けたことを特徴とする。
【発明の効果】
【０００９】
本発明の組立足場によれば、互いに交叉する方向に延びる２つの組立足場素子を簡単容易に接続でき、また、そのコーナー部は構造上強度が極めて大きくなる。
【発明を実施するための最良の形態】
【００１０】
以下図面によって本発明の実施例を説明する。
【実施例１】
【００１１】
図１は一方向に延びる一方の組立足場素子６と、これに交叉する、例えば直交する方向に延びる他方の組立足場素子７と、上記一方の組立足場素子６と上記他方の組立足場素子７とを互いに連結するコーナー部８を示し、図２は上記コーナー部８の詳細を示す。
【００１２】
本発明の組立足場の上記一方及び他方の組立足場素子６，７は、図３に示すように、夫々横方向に離間した２本の垂直支柱９と、この各支柱９に沿って配置した補強杆１０ａと、この補強杆１０ａと上記支柱９の上下端部間を連結する連結金具１０ｂ，１０ｃと、上記垂直支柱９の中間部を連結する水平補強杆１１と、上記各垂直支柱９の上部、中間部及び下部に夫々設けた、夫々互いに対向する方向に突出するブレス固定用突出ピン１２と、上記水平補強杆１１の両端部に夫々設けた、上方に突出するブレス固定用突出ピン１３と、上記ブレス固定用突出ピン１２，１３の遊端に設けた、上記ピンの軸と並行する方向とこれに直交する方向に回動自在なブレス脱落防止具１２ａ，１３ａとより成るＨ形枠１４を上下に接続したものを、図１に示すように横方向及び縦方向に互いに離間して複数並列せしめ、上記互いに隣接する上記各Ｈ形枠１４の水平補強杆１１間に足場板である布板１５を連結し、上記互いに隣接する上記Ｈ形枠１４の垂直支柱９間に上記ブレス固定用突出ピン１２，１３を介して水平ブレス１６、筋交い１７を連結して構成する。
【００１３】
また、上記コーナー部８は、図２に示すように、一方の組立足場素子６の一端において互いに離間して隣接するＨ形枠１４，１４と、このＨ形枠１４，１４を形成する水平補強杆の、上記他方の組立足場素子７に面する側の端部間をロック部２１ａを介して連結した図４に示すコーナー用水平杆２０と、このコーナー用水平杆２０と、上記コーナー部８に面する他方の組立足場素子７の水平補強杆１１との間を図１，図２に示すように連結するコーナー部連結用布板１９とにより構成せしめる。
【００１４】
また、図４及び図５に示すように、上記コーナー部用水平杆２０の両端部に、上方に延びる垂直板２１ｂを設け、この垂直板２１ｂには、互いに対向する方向に突出するブレス固定用突出ピン２２と、上記固定用突出ピン２２の遊端に設けた、上記ピン２２の軸と並行となる方向とこれに直交する方向に回動自在なブレス脱落防止具２２ａとを設け、上記ブレス固定用突出ピン２２と、上記コーナー部８に面する上記他方の組立足場素子７のＨ形枠１４のブレス固定用突出ピン１２間に筋交い１７を連結せしめる。
【００１５】
また、図６及び図７に示すように、上記コーナー部８を形成することになる上記一方の組立足場素子６の一端において互いに離間して隣接する上段のＨ形枠１４の上記垂直支柱９の上部に、垂直板２４と、この垂直板２４の両側に夫々設けた直角に折れ曲がった袖片２５，２６と、上記一方の袖片２５に設けた、上記垂直支柱９のブレス固定用突出ピン１２を避ける切り欠き部２７と、上記垂直板２４の下部に設けたブレス固定用突出ピン２８と、上記ブレス固定用突出ピン２８の遊端に設けた、上記ピン２８の軸と並行となる方向とこれに直交する方向に回動自在なブレス脱落防止具２８ａと、上記垂直板２４の上部に設けたボルト貫通孔２９とより成る上部補助金具３０を設ける。この上部補助金具３０は図７に示すようにボルト３１により上端部連結金具１０ｂに固定せしめ、上記ブレス固定用突出ピン２８と、上記コーナー部８に面する上記他方の組立足場素子７のＨ形枠１４の固定用突出ピン１２間に夫々水平ブレス３２、筋交い２３を連結せしめる。
【００１６】
また、図８及び図９に示すように、上記コーナー部８を形成することになる上記一方の組立足場素子６の一端において互いに離間して隣接する上下に接続されたＨ形枠１４の垂直支柱９の接続部に、上記と同様に、垂直板３３と、この垂直板３３の両側に夫々設けた直角に折れ曲がった袖片３４、３５と、上記一方の袖片３４に設けた、上記垂直支柱９のブレス固定用突出ピン１２を避ける切り欠き部３６と、上記垂直板３３の上下に夫々設けたブレス固定用突出ピン３７と、上記ブレス固定用突出ピン３７の遊端に設けた、上記ピン３７の軸と平行する方向とこれに直交する方向に回動自在なブレス脱落防止具３７ａと、上記垂直板３３の中間部に設けたボルト貫通孔３８とより成る接続部補助金具３９を設ける。この接続部補助金具３９は図９に示すようにボルト４０により支柱９に固定せしめ、上記各ブレス固定用突出ピン３７と、上記コーナー部８に面する上記他方の組立足場素子７のＨ形枠１４の固定用突出ピン１２間に夫々水平ブレス３２、筋交い２３を連結せしめる。
【００１７】
また、図１０及び図１１に示すように、上記コーナー部８を形成することになる一方の組立足場素子６の一端において互いに離間して隣接する最下段のＨ形枠１４の垂直支柱９の下部に、垂直板４１と、この垂直板４１の両側に夫々設けた直角に折れ曲がった袖片４２、４３と、上記一方の袖片４２に設けた、上記垂直支柱９のブレス固定用突出ピン１２を避ける切り欠き部４４と、上記垂直板４１の下部に設けたブレス固定用突出ピン４５と、上記突出ピン４５の遊端に設けた、上記ピン４５の軸と平行する方向とこれに直交する方向に回動自在なブレス脱落防止具４５ａと、上記垂直板４１の上部に設けたボルト貫通孔４６とより成る下部補助金具４７を設ける。この下部補助金具４７は図１１に示すようにボルト４８により支柱９の下部に固定せしめ、上記ブレス固定用突出ピン４５と上記他方の組立足場素子７のＨ形枠１４の固定用突出ピン１２間に筋交い２３を連結せしめる。
【００１８】
なお、上記上下に接続されるＨ形枠１４，１４の接続構造を以下説明する。
【００１９】
本発明においては、図１２に示すように上段のＨ形枠１４の垂直支柱９の下部には小径部１８及びつの部４９を設け、また、上記下端部連結金具１０ｃにはボルト挿通孔５０を設け、図１３に示すように下段のＨ形枠１４の垂直支柱９の上端には、上記小径部１８及びつの部４９を挿入可能な開口部５１を設け、また、上記連結金具１０ｂにはねじ孔５２を形成し、上記下段のＨ形枠１４の支柱９の上端からやや下方部分の支柱９内に、水平ピン５３を設け、また、上記支柱９の下端の上記つの部４９の側面に、上記水平ピン５３に係合自在な湾曲凹部５４を設ける。
【００２０】
次に、上記下段のＨ形枠１４に上段のＨ形枠１４を連結するために、図１３及び図１４に示すように、下段のＨ形枠１４の支柱９の上端開口部５１の縁上に、水平に倒した上段のＨ形枠１４の下方つの部４９の湾曲凹部５４の側面を載置せしめ、図１５及び図１６に示すように、上記下段の支柱９の上端開口部５１の縁を支点として、上記水平に倒した上段のＨ形枠１４を徐々に垂直方向に起し、上記の湾曲凹部５４の上縁を上記支柱９の上端開口部５１の縁上に載せ、図１７及び図１８に示すように、上記上段のＨ形枠１４が垂直となった時に、上記上段の支柱９のつの部４９の湾曲凹部５４の中間部が上記上段の支柱９の水平ピン５３に接する位置となるようにし、次いで図１９に示すように、上記下段の支柱９の上端開口部５１内に上記上段の支柱９の小径部１８を挿入せしめ、このとき上記上段の支柱９の大径部下面が、上記下段の支柱９の上面に載置されるようにし、上記上段の下端部連結金具１０ｃのボルト挿通孔５０にボルト５５を挿通せしめ、上記下段の上端部連結金具１０ｂのねじ孔５２を螺合せしめることにより、上記下段のＨ形枠１４と上記上段のＨ形枠１４を互いに上下に一体に固定せしめる。
【００２１】
本発明の組立足場によれば、上記Ｈ形枠１４の高さの中間部分に布板１５が横架されているので、下段の組立足場を形成すれば、上段の組立足場を形成する場合、作業者は上記下段の組立足場の水平ブレス１６や筋交い１７を手摺として利用することができるので、安全に作業を行うことができるようになる。
【００２２】
また、下段のＨ形枠１４の支柱９の上端開口部５１に、上段のＨ形枠１４の支柱９の下方小径部１８を挿入する際、まず、上記下段の支柱９の上部開口部５１の縁上に、上記上段の支柱９のつの部４９の湾曲凹部５４の側面を載置せしめ、次いで傾斜せしめるようにしたので、容易に挿入できるようになる。
【００２３】
また、下段のＨ形枠１４と上段のＨ形枠１４とを解体する場合、ボルト５５を取り外し、上記上段のＨ形枠１４を上記下段のＨ形枠１４に対して上方に引っ張っても、上段のＨ形枠１４が抜ける前に上記上段の支柱９の下方のつの部４９が、上記下段の支柱９の水平ピン５３に当接するので、急に上段のＨ形枠１４が抜けることがなく、その後は図１７，図１５及び図１４に示すように、組立とは逆の順序で上段のＨ形枠１４を外せば、安全に作業を行なうことができる。
【００２４】
本発明の組立足場によれば、コーナー部８を形成することになる、一方の組立足場素子６の垂直支柱９と上記コーナー部８のための垂直支柱とを共通とし、この垂直支柱９間にコーナー部用水平杆２０を設け、このコーナー部用水平杆２０と上記コーナー部８に面する上記他方の組立足場素子７の水平補強杆１１との間を布板１９により連結せしめたので、コーナー部８の構造上の強度が極めて大きくなる。
【００２５】
また、上記垂直支柱９に突出ピンを有する補助金具を設けたので、上記垂直支柱９と他の組立足場素子の垂直支柱９間に容易に水平ブレス、筋交いを接続することができる。
【図面の簡単な説明】
【００２６】
【図１】本発明の組立足場の斜視図である。
【図２】図１に示す組立足場のコーナー部の説明用斜視図である。
【図３】本発明の組立足場を構成するＨ形枠の正面図である。
【図４】本発明の組立足場のコーナー部用水平杆の説明用拡大斜視図である。
【図５】図２に示す組立足場の要部の説明用拡大斜視図である。
【図６】本発明の組立足場の上段のＨ形枠に設ける上部補助金具の説明用拡大斜視図である。
【図７】図２に示す組立足場の上段のＨ形枠の上部の説明用拡大斜視図である。
【図８】本発明の組立足場の上段と下段のＨ形枠の接続部に用いる接続部補助金具の説明用拡大斜視図である。
【図９】図２に示す組立足場の上段と下段のＨ形枠の接続部の説明用拡大斜視図である。
【図１０】本発明の組立足場の下段のＨ形枠に設ける下部補助金具の説明用拡大斜視図である。
【図１１】図２に示す組立足場の下段のＨ形枠の下部の説明用拡大斜視図である。
【図１２】本発明の組立足場の下段のＨ形枠の下部の拡大斜視図である。
【図１３】本発明の組立足場の下段のＨ形枠の上部の説明用斜視図である。
【図１４】本発明の組立足場の上段と下段のＨ形枠の接続方法説明図である。
【図１５】本発明の組立足場の上段と下段のＨ形枠の接続方法の説明図である。
【図１６】図１５に示す組立足場の要部の説明用拡大斜視図である。
【図１７】本発明の組立足場の上段と下段のＨ形枠の接続方法説明図である。
【図１８】図１７に示す組立足場の要部の説明用拡大斜視図である。
【図１９】図１７に示す組立足場の要部の説明用拡大斜視図である。
【図２０】従来の一方向に延びる組立足場の斜視図である。
【図２１】従来の直交する方向に延びる組立足場の斜視図である。
【符号の説明】
【００２７】
１    垂直支柱
２    水平杆
３    鳥居形枠
４    布板
５    筋交い
６    組立足場素子
７    組立足場素子
８    コーナー部
９    垂直支柱
１０ａ  補強杆
１０ｂ  上端部連結金具
１０ｃ  下端部連結金具
１１    水平補強杆
１２    ブレス固定用突出ピン
１２ａ  ブレス脱落防止具
１３    ブレス固定用突出ピン
１３ａ  ブレス脱落防止具
１４    Ｈ形枠
１５    布板
１６    水平ブレス
１７    筋交い
１８    小径部
１９    コーナー部布板
２０    水平杆
２１ａ  ロック部
２１ｂ  垂直板
２２    ブレス固定用突出ピン
２２ａ  ブレス脱落防止具
２３    筋交い
２４    垂直板
２５    袖片
２６    袖片
２７    切り欠き部
２８    ブレス固定用突出ピン
２８ａ  ブレス脱落防止具
２９    ボルト貫通孔
３０    上部補助金具
３１    ボルト
３２    水平ブレス
３３    垂直板
３４    袖片
３５    袖片
３６    切り欠き部
３７    ブレス固定用突出ピン
３７ａ  ブレス脱落防止具
３８    ボルト貫通孔
３９    接続部補助金具
４０    ボルト
４１    垂直板
４２    袖片
４３    袖片
４４    切り欠き部
４５    ブレス固定用突出ピン
４５ａ  ブレス脱落防止具
４６    ボルト貫通孔
４７    下部補助金具
４８    ボルト
４９    つの部
５０    ボルト挿通孔
５１    開口部
５２    ねじ孔
５３    水平ピン
５４    湾曲凹部
５５    ボルト
【図１】
2007309044.tif 000003
【図２】
2007309044.tif 000004
【図３】
2007309044.tif 000005
【図４】
2007309044.tif 000006
【図５】
2007309044.tif 000007
【図６】
2007309044.tif 000008
【図７】
2007309044.tif 000009
【図８】
2007309044.tif 000010
【図９】
2007309044.tif 000011
【図１０】
2007309044.tif 000012
【図１１】
2007309044.tif 000013
【図１２】
2007309044.tif 000014
【図１３】
2007309044.tif 000015
【図１４】
2007309044.tif 000016
【図１５】
2007309044.tif 000017
【図１６】
2007309044.tif 000018
【図１７】
2007309044.tif 000019
【図１８】
2007309044.tif 000020
【図１９】
2007309044.tif 000021
【図２０】
2007309044.tif 000022
【図２１】
2007309044.tif 000023